(57)【特許請求の範囲】
【請求項１】
シート本体を液状染料を入れた染料槽に浸して、前記シート本体の両面に染料層を付着させ、
その後、前記染料槽にオイルを追加して入れて、前記オイルが前記染料層を浸透して前記シート本体に浸透するようにし、
その後、前記染料槽にセラミックスの粉を追加して入れて、前記セラミックスの粉を固まっていない前記染料層に付着させてシートを形成し、
その後、前記シートを前記染料槽から取り出して乾燥させることを特徴とするシートの製造方法。
【発明の詳細な説明】
【０００１】
【発明の属する技術分野】
本願発明は、シートの製造方法に関し、特にゴルフのクラブ等を握ったときに滑りにくい手袋に使用するシートの製造方法に関するものである。
【０００２】
【従来の技術】
従来から、ゴルフをするときに、クラブのグリップを握るための手袋が使用されている。この手袋を使用することによりゴルフをする者の手を保護するとともに、グリップの握り時の滑りを防止するようにしている。このような手袋の効用は、ゴルフをする場合のみでなく、スキーのストックを握る場合、野球のバットを振る場合、自動車のハンドルを握る場合等においても同様である。
【０００３】
【発明が解決しようとする課題】
しかし、手袋をはめた手でゴルフのクラブを握ってゴルフボールを打つ場合に、強い衝撃力で打った場合等においては、手袋で握ったグリップが滑るという問題を生じることがある。
この手袋をはめた手で握った物体と手袋との間の滑りの問題は、ゴルフのクラブのグリップにかぎらず、上述のスキーのストック、自動車のハンドル、野球のバット等においても同様である。
さらに、手袋の表面の材料となるシートは、手袋に限らず、他に使用される場合がある。すなわち、シートが手袋の表面以外に使用された場合にも、シートの表面の滑りが問題となる場合がある。
そこで、本願発明が解決しようとする課題は、シートの表面の滑りを少なくし、さらにこのシートを手袋の表面の材料として使用して手袋の表面の滑りを少なくすることである。
【０００４】
【課題を解決するための手段】
上記課題を解決するため、本願の第１の発明は、請求項１記載のとおりである。
上記第１の発明により、シート本体を液状染料を入れた染料槽に浸して、前記シート本体の両面に染料層を付着させる。その後、前記染料槽にオイルを追加して入れると、前記オイルが前記染料層を浸透して前記シート本体に浸透するので、前記シート本体を柔らかくすることができる。その後、前記染料槽にセラミックスの粉を追加して入れて、固まっていない前記染料層に前記セラミックスの粉を付着させてシートを形成する。その後、前記シートを前記染料槽から取り出して乾燥させる。
【０００５】
【発明の実施の形態】
以下、本願発明における実施の形態を図面に基づいて説明する。図１は、本願発明の実施の形態に係るシートの平面を示す。図１において、シート１０は、たとえば柔らかいものである。シート１０の図示横方向の長さＬ1は、たとえば９０ｃｍであり、シート１０の図示縦方向の長さＬ2は、たとえば１ｍである。
【０００６】
図２は、図１のIIーII断面を拡大して示す。図２において、シート１０のシート本体１１は、たとえば、ひつじ等の動物のなめし皮、合成皮革等である。染料（染色助剤を含む。）層１２、１３がシート本体１１の両面に付着している。さらに、セラミックスの粉１４、１５が染料層１２、１３に付着している。染料層１２、１３の色は、黒、赤、白等の任意の色である。
シート本体１１の厚さｔ1は、たとえば０．５ないし０．６ｍｍであり、染料層１２、１３の厚さｔ2、ｔ3は、たとえば、シート本体１１の厚さｔ1の約１／３０であり、セラミックスの粉１４、１５の径は、たとえば染料層１２、１３の厚さｔ2、ｔ3の約１／１０である。セラミックスの粉１４、１５は、たとえば陶器の粉、磁器の粉等であるが、陶器の粉を使用すると、安価になる。
【０００７】
図２に示すシート１０の製造方法は、以下のとおりである。
まず、シート本体１１を液状染料を入れた図示しない染料槽に約２時間浸す。
なお、この染料槽は、通常回転するドラムであり、約４５℃に保たれている。これにより、シート本体１１の両面に染料層１２、１３が付着する。その後、前記染料槽にオイルを追加して入れて約１時間経過すると、このオイルが染料層１２、１３を浸透してシート本体１１に浸透する。これにより、シート本体１１を柔らかくすることができる。
その後、前記染料槽にセラミックスの粉を追加して入れて約３０分経過すると、染料層１２、１３が固まっていないので、セラミックスの粉１４、１５が染料層１２、１３に付着する。このため、染料層１２、１３はセラミックスの粉１４、１５をシート１０の表面１０ａ、１０ｂに固定する接着剤となる。
その後、シート１０を前記染料槽から取り出して、乾燥させる。
【０００８】
図３は、本願発明に係るシートを使用した手袋の使用状態を示す。図３は、右ききの人がゴルフのクラブ４０のグリップ４１を握った状態を示している。図示の状態では、左手３８に手袋２０をはめている。なお、グリップ４１はシャフト４２の基部に形成され、ヘッド４３がシャフト４２の先端に取付けられている。
【０００９】
手袋２０は、シート１０を生地として使用したものである。このため、手袋２０の表面２１は、シート１０の表面１０ａ、１０ｂのセラミックスの粉１４、１５により摩擦力が大きくなっている。
手袋２０は、手のひら部２２、親指部２３、人差し指部２４、中指部２５、薬指部２６および小指部２７を備えている。手のひら部２２、親指部２３、人差し指部２４、中指部２５、薬指部２６および小指部２７がゴルフのクラブ４０のグリップ４１を握っている。また、右手３１の手のひら３２、親指３３、人差し指３４、中指３５、薬指３６および小指３７がグリップ４１を握っている。
このため、グリップ４１を右手３１および手袋２０をはめた左手３８により確実に握ることができる。
【００１０】
なお、上記実施の形態において、手袋２０の表面２１の全面にシート１０の表面（１０ａまたは１０ｂ）が使用されているが、これに限定されず、たとえば、手袋２０の手のひら部２２、親指部２３、人差し指部２４、中指部２５、薬指部２６および小指部２７の表面２１のうち、グリップ４１を握ったときにグリップ４１に接触する部分のみにシート１０を使用してもよい。
【００１１】
【発明の効果】
本願の第１の発明によれば、シートの表面に付着したセラミックスの粉がシートの表面に凹凸を形成しているので、シートの表面が滑りにくくなっている。また、セラミックスは硬くて耐久性があるので、セラミックスの粉による効果を長く保つことができる。このため、摩擦力の耐久性があり、滑りにくいシートを形成することができる。
【００１２】
さらに、前記セラミックスの粉がシートを染色する染料によりシートの表面に付着されるので、セラミックスの粉をシートの表面に付着させることが容易になる。このため、摩擦力の耐久性があり、滑りにくいシートを容易に形成することができる。さらに、シートのシート本体を柔らかくすることができる。
【００１３】
【図面の簡単な説明】
【図１】  本願発明に係るシートの正面図である。
【図２】  図１のシートのIIーII断面を拡大して示す断面図である。
【図３】  本願発明に係るシートを使用した手袋の使用状態を示す斜視図である。
【符号の説明】
１０  シート
１０ａ、１０ｂ  シートの表面
１１  シート本体
１２、１３  染料層
１４、１５  セラミックスの粉
【図１】
0003872313.tif 000002
【図２】
0003872313.tif 000003
【図３】
0003872313.tif 000004